(57)【特許請求の範囲】
【請求項１】
リール状製品を収納した包装袋を収納する梱包体であって、前記包装袋に前記リール状製品を収納し、前記リール状製品を収納した前記包装袋を横方向に寝かせた状態で複数個縦方向に積み重ねて梱包箱に収納したとき、複数個の前記包装袋の間の一部または全部に、前記梱包箱の底面と略同一寸法の保護材を挿入し、前記梱包箱の側面と前記保護材の端面との間で前記包装袋の少なくとも一部が縦方向に折り曲げられて突出部をなす状態で、前記梱包箱に収納されることを特徴とする、リール状製品の梱包体。
【請求項２】
前記包装袋は、前記リール状製品を内部に収納し真空吸引して密閉される収納部を備えることを特徴とする、請求項１に記載のリール状製品の梱包体。
【請求項３】
前記包装袋に収納された前記リール状製品が、前記梱包箱の底面の略中央に位置するように収納されることを特徴とする、請求項１又は２に記載のリール状製品の梱包体。
【請求項４】
前記包装袋が長辺と短辺からなる略矩形状を有し、前記梱包箱の底面が略正方形を有することを特徴とする、請求項１〜３のいずれか１項に記載のリール状製品の梱包体。
【請求項５】
前記リール状製品を収納した前記包装袋を横方向に寝かせた状態で複数個縦方向に積み重ねて梱包箱に収納する際、複数個の前記包装袋の少なくとも１つが、前記梱包箱の底面と略同一寸法の保護材で上下から挟み込まれ、前記梱包箱の側面に沿って前記少なくとも１つの包装袋の少なくとも一部が縦方向に折り曲げられて突出部をなす、請求項１〜４のいずれか１項に記載のリール状製品の梱包体。
【発明の詳細な説明】
【技術分野】
【０００１】
本発明は、リール状製品、特に、二次電池等に用いられるリード用のシーラントフィルムや電極用の金属フィルム、TABテープ等の半導体テープキャリアなど、任意の幅にスリットされた長尺体をリール状に巻き取った状態のリール状製品を梱包し、運搬などに供する梱包体に関する。
【背景技術】
【０００２】
携帯電話やノートパソコンなどの電子機器の薄型軽量化、ＩＣパッケージの小型・薄型化に伴い、二次電池リード用のシーラントフィルムや電極用の金属フィルム、TABテープ等の半導体テープキャリアなど、フィルム状部材が広く用いられるようになっている。これらのフィルム状部材は、任意の幅にスリットされた長尺体をリール状に巻き取ったリール状製品の状態で、梱包、運搬されるのが通常である。
【０００３】
従来のリール状製品の梱包方法として、特開２００４−０８７８５８号公報（特許文献１）には、テープ状基材にチップ搭載部などの導体パターンを形成したテープキャリアを出荷するに際し、テープキャリアをリールに巻いた状態で真空引きし、乾燥させて、梱包用袋体内に封入して梱包する梱包方法が開示されている。
【０００４】
また、特開２００５−１２６１４２号公報（特許文献２）には、巻取コアに巻き取られた電極用部材の両側を一対のクッション材を介して挟持するとともに、電極用部材の外形より大きな側面を有する一対のフランジと包装フィルムからなるものとした包装体が開示されている。
【０００５】
さらに、特開２０１０−０５２７７４号公報（特許文献３）には、金属配線およびソルダーレジストからなる回路がテープ状の絶縁フィルムに繰り返し形成されてなるＴＡＢテープを、コアリールに巻き付けて梱包するＴＡＢテープの梱包方法について、コアリールの外周面にＴＡＢテープを巻き付ける第１のステップと、ＴＡＢテープが巻き付けられたリールを、帯電防止袋に真空封止する第２のステップを含むＴＡＢテープの梱包方法が開示されている。
【０００６】
これらリール状製品の梱包に際しては、保管・運搬中の品質の維持、包装フィルムの破損による塵・異物の付着や、外部衝撃による巻き戻し、巻きずれ等を防止することが重要となる。
【先行技術文献】
【特許文献】
【０００７】
【特許文献１】特開２００４−０８７８５８号公報
【特許文献２】特開２００５−１２６１４２号公報
【特許文献３】特開２０１０−０５２７７４号公報
【発明の概要】
【発明が解決しようとする課題】
【０００８】
スリット加工しリール状に巻いたリール状製品を輸送する際、外気に晒したままの状態では埃や、梱包材との摩擦により発生するゴミなどが付着したり、あるいは振動や衝撃により巻きズレや巻き解れが発生したりする場合がある。また、リール状製品を複数まとめて輸送する際、梱包箱にリール状製品を重ね入れすると、製品そのものに凹凸があるため、製品間に隙間が生じ、製品自体の重量により、時間とともに形状が凹凸に追従し、これに沿った変形が発生しやすい。特に、梱包箱の最下部には最大荷重が掛かるためこの傾向が顕著である。さらに、垂直方向・水平方向から外部衝撃が加わると、梱包箱内の製品はその衝撃により激しく動き、製品同士がぶつかり合い、変形してしまうこともある。これらを防止するために、従来技術では、リール状製品を真空包装し、外気が入らないようにするとともに、リール形状を圧接し変形を防止するなどの方策を講じたり、振動や衝撃等から製品を保護するために、製品間に緩衝材やパッドなどの保護材を挿入するなどの工夫がなされたりしている。
【０００９】
このような従来技術において、パッドなどの保護材としては一般に、梱包箱の底面とほぼ同等の大きさのものが用いられる。これは、梱包箱に衝撃が加わった際、パッドが水平方向に動かないようにし、垂直方向の圧力を均等に掛けるためである。このような寸法及び形状の保護材を使用すると、水平・垂直方向からの衝撃による梱包箱の破損、変形を防ぐ効果は期待できるものの、梱包箱を開梱して製品やパッドを取り出す際に、手や指でパッドを持ち上げる隙間がなく、これらを取り出すことが困難である。このような場合に、パッドの数箇所に切り欠きまたは穴を作り、手や指を入れるスペースを設ける手段も考えられるが、そのような手段では、梱包そのものの強度が脆弱になるばかりでなく、パッドの作製コストも増大してしまう。また、梱包箱を逆さ（開梱部を下）にして取り出す方法も考えられるが、製品とパッドの大きさと梱包箱の断面積がほぼ同じであるため、製品とパッドにかかる重力だけでは、これらを梱包箱から分離しにくい。仮に分離できたとしても、製品とパッドが山崩れし、製品が変形する可能性がある。
【００１０】
本発明は、これら従来技術の問題点を解決し、リール状製品を輸送する際の振動や衝撃による巻きズレや巻き解れ、変形を抑えることができ、開梱する際のリール状製品の取り出しの簡便性を向上させることを目的とするものである。
【課題を解決するための手段】
【００１１】
すなわち、本発明は、リール状製品を収納した包装袋を収納する梱包体であって、包装袋にリール状製品を収納し、リール状製品を収納した包装袋を横方向に寝かせた状態で複数個縦方向に積み重ねて梱包箱に収納したとき、包装袋の少なくとも一部が縦方向に折り曲げられた状態で、梱包箱に収納される、リール状製品の梱包体である。
【００１２】
本発明において、包装袋は、リール状製品を内部に収納し真空吸引して密閉される収納部を備えるものとすることができる。
また、包装袋に収納されたリール状製品は、梱包箱の底面の略中央に位置するように収納されるようにするのが望ましい。
さらに、包装袋が長辺と短辺からなる略矩形状を有し、梱包箱の底面が略正方形を有するのが好ましい。
【００１３】
本発明において、リール状製品を収納した包装袋を横方向に寝かせた状態で複数個縦方向に積み重ねて梱包箱に収納する際、複数個の包装袋の間の一部または全部に、梱包箱の底面と略同一寸法の保護材を挿入し、梱包箱の側面と保護材の端面との間で包装袋の少なくとも一部が縦方向に折り曲げられて突出部をなすようにすることができる。
また、リール状製品を収納した包装袋を横方向に寝かせた状態で複数個縦方向に積み重ねて梱包箱に収納する際、複数個の包装袋の少なくとも１つが、梱包箱の底面と略同一寸法の保護材で上下から挟み込まれ、梱包箱の側面に沿って少なくとも１つの包装袋の少なくとも一部が縦方向に折り曲げられて突出部をなすようにしてもよい。
【発明の効果】
【００１４】
本発明によれば、包装袋内のリール状製品を圧接し、移動を拘束することにより、輸送する際の振動や衝撃による巻きズレや巻き解れを防止しながらも、梱包・取り出しの簡便性を向上させることが可能となる。また、リール状製品の変形を抑えることもできる。さらに、梱包箱を開梱する際の包装袋に収納されたリール状製品と保護材の取り出しを一層容易にすることにより、リール状製品を傷つけることなく取り出すことも可能となる。
【図面の簡単な説明】
【００１５】
【図１】本発明による梱包体の一態様の概略的な側面透視模式図である。
【図２ａ】本発明の梱包体で使用する包装袋の概略的な正面模式図である。
【図２ｂ】包装袋に収納されるリール状製品の概略的な斜視図である。
【図３ａ】リール状製品を収納した包装袋の概略的な正面模式図である。
【図３ｂ】リール状製品を収納した包装袋の概略的な側面模式図である。
【図４ａ】本発明による梱包体の一態様の概略的な側面透視模式図である。
【図４ｂ】本発明による梱包体の一態様の概略的な側面透視模式図である。
【図５】本発明による梱包体の一態様の概略的な斜視図である。
【図６】包装袋の概略的な正面模式図である。
【発明を実施するための形態】
【００１６】
以下、図面を参照しつつ、本発明を実施するための形態について説明する。
【００１７】
図１は、本発明による梱包体の一態様の概略的な側面透視模式図である。
図１を参照して、梱包体１は、包装袋２の収納部にリール状製品を収納した後、包装袋２の内部を真空吸引して密閉し、リール状製品を収納した包装袋２を横方向に寝かせた状態で複数個縦方向に積み重ねて梱包箱５に収納するものである。隣接する複数個の包装袋２の間には、梱包箱５の底面と略同一寸法の保護材４が挿入される。リール状製品を収納した包装袋２の少なくとも一部が、前記梱包箱５の側面と保護材４の端面との間で、梱包箱５の側面に沿って縦方向に折り曲げられた状態で収納されることにより、突出部３が形成される。
【００１８】
図２ａは、本発明の梱包体で使用する包装袋の概略的な正面模式図である。
図２ａを参照して、包装袋は、長辺と短辺からなる略矩形状を有するものとすることができ、例えば、長辺と短辺からなる略矩形状のシートを２枚重ね、短辺のうち一方を開口部７とし、残りの３辺（もう一方の短辺と２つの長辺）をシール部６としてヒーター等でシールして作製することができるが、一般に市販されているものも使用可能である。
本発明で使用する包装袋は、特に限定されるものではないが、包装袋にリール状製品を収納し、内部を真空吸引して、ヒーター等で溶着・密閉できる、真空包装可能なものが好ましい。包装袋としては、例えば、ポリエチレン製又はポリプロピレン製のもの、ポリエチレン又はポリプロピレンとナイロン等とを積層しもの等を好適に使用することができ、必要に応じて、アルミ膜等の中間層を設けたものなどを使用することもできる。
本発明で使用する包装袋は、上記のように突出部を形成しやすい形状・強度のものが好ましい。
包装袋の形状・寸法は、リール状製品の形状・寸法によって決定すればよいが、例示的には、リール状製品のリール径が２００ｍｍ〜４００ｍｍの場合は、長辺が４００ｍｍ〜５００ｍｍ、短辺が２５０ｍｍ〜４５０ｍｍであるとよく、３辺のシール幅は５〜１５ｍｍであるとよい。
【００１９】
図２ｂは、包装袋に収納されるリール状製品の概略的な斜視図である。
本発明による梱包体に収納するリール状製品は、特に限定されるものではないが、任意の幅にスリットされた長尺体をリールに巻き取ったもの、例示的には、二次電池リード用のシーラントフィルムや電極用の金属フィルム、TABテープ等の半導体テープキャリアなどである。
リール状製品の形状・寸法は、特に限定されるものではないが、例示的には、二次電池リード用のシーラントフィルムの場合、フィルムの厚みが２０μｍ〜２００μｍ、フィルムの幅が2ｍｍ〜２０ｍｍの長尺体を、内径７６．２ｍｍ、肉厚６ｍｍのコアリールに４５０ｍ〜５５０ｍ巻き取ったものである。
【００２０】
図３ａは、リール状製品を収納した包装袋の概略的な正面模式図である。
図３ｂは、リール状製品を収納した包装袋の概略的な側面模式図である。
長辺と短辺からなる略矩形状の包装袋の収納部９にリール状製品１０を収納し、内部を真空吸引して、長辺の任意の位置で短辺（幅）方向にヒートシール８を施し、開口部を密閉する。
リール状製品１０を収納した包装袋を真空吸引して密閉する方法としては、チャンバー式やノズル式の真空吸引装置と熱板方式やインパルス方式のヒートシール機構を組み合わせた、真空包装装置を用いる手法を採用することができる。例示的には、通常用いられる卓上真空包装機（バキュームシーラー）を用いることができる。これは、吸引ノズルにより包装袋の内部の気体を吸引除去（真空吸引）し、その吸引状態のまま包装袋をヒートシーラーで溶着・密閉（ヒートシール）できるものである。真空吸引処理により包装袋内のリール状製品１０は圧接され、移動が拘束されるため、梱包・取り出しの簡便性が向上し、輸送する際の振動や衝撃による巻きズレや巻き解れを防止することができる。
【００２１】
次に、本発明のリール状製品の梱包体の梱包方法について説明する。
図４ａ及び図４ｂは、本発明による梱包体の一態様の概略的な側面透視模式図である。
図４ａを参照して、リール状製品を収納した包装袋２は、横方向に寝かせた状態で梱包箱５に収納される。梱包箱５の底面と包装袋２との間には、保護材４が挿入される。梱包箱５の底面は略正方形を有し、包装袋２に収納されたリール状製品は、梱包箱５の底面の略中央に位置するように収納される。このとき、リール状製品を収納した包装体２の少なくとも一部が、梱包箱５の側面に沿って縦方向に折り曲げられることにより、突出部３が形成される。
本発明で使用する梱包箱５は、通常用いられる段ボール箱等でよく、特に限定されるものではないが、プラスチック製のものや、厚紙、発泡シートなどからなる梱包箱であってもよい。梱包箱５の材質としては、段ボール紙（例えば、ライナー外両面K５Wフルート）などが外部衝撃を吸収し、リール状製品の変形を抑える上で好ましい。
梱包箱の肉厚は、３ｍｍ〜１３ｍｍが好ましく、より好ましくは、５ｍｍ〜８ｍｍである。肉厚が厚すぎると箱板そのものが凹みなどの変形が生じやすく、反対に薄すぎると外部衝撃に対する強度が不足してしまう。
【００２２】
梱包箱５の形状・寸法は、リール状製品の形状・寸法によって決定すればよいが、リール状製品を収納する包装袋２の短辺幅とほぼ同等の長さを一辺とする略正方形の底面を有するものとすると、輸送する際の振動や衝撃による巻きズレや巻き解れを防止する上で好ましい。短辺と長辺を有する略長方形の底面を有する梱包箱５を使用する場合は、リール状製品を収納する包装袋２の短辺とほぼ同等の短辺を有する略長方形の底面とするとよい。このとき、包装袋２の長辺は、梱包箱５の略長方形の底面の長辺よりも、長くしておく。
梱包箱５の形状・寸法をリール状製品の形状・寸法によって決定する場合、例示的には、リール状製品のリール径が２００ｍｍ〜４００ｍｍの場合は、底面の短辺の内寸が２５０ｍｍ〜４５０ｍｍであるとよく、より好ましくは、リール状製品のリール径が２４０ｍｍ〜２８０ｍｍの場合は、底面の一辺の内寸が３００ｍｍ〜３４０ｍｍの略正方形である。
一方、梱包箱５の高さは、リール状製品の収納数によって決定すればよいが、例示的には、梱包箱の高さの内寸が、２５０ｍｍ〜４５０ｍｍであるとよく、より好ましくは、リール状製品のリール径が２４０ｍｍ〜２８０ｍｍの場合は、高さの内寸が３００ｍｍ〜３４０ｍｍである。このとき、リール状製品の収納数は、製品幅が３ｍｍ〜１２ｍｍのリール状製品であれば、１０〜６０個を収納することができる。
【００２３】
図４ｂを参照して、リール状製品を収納する包装袋２を横方向に寝かせた状態で複数個縦方向に積み重ねて梱包箱５に収納する際、リール状製品を収納する複数個の包装袋２のそれぞれの間に、梱包箱５の底面と略同一寸法の保護材４が挿入され、リール状製品を収納する包装袋２は、保護材４で上下から挟み込まれている、このとき、梱包箱５の側面と保護材４の端面との間で、リール状製品を収納する包装袋の少なくとも一部が縦方向に折り曲げられて突出部３を形成している。
【００２４】
保護材４は、通常用いられる段ボール等でよく、特に限定されるものではないが、プラスチック製や、厚紙、エアーパッキン、発泡シートなどからなる保護材であってもよい。保護材４の材質としては、段ボール紙（例えば、ライナー両面C５Bフルート）などが外部衝撃を吸収し、リール状製品の変形を抑える上で好ましい。
保護材の形状・寸法は、リール状製品の形状・寸法によって決定すればよいが、例示的には、リール状製品のリール径が２００ｍｍ〜４００ｍｍの場合は、短辺が２５０ｍｍ〜４５０ｍｍであるとよく、より好ましくは、リール状製品のリール径が２４０ｍｍ〜２８０ｍｍの場合は、一辺が３００ｍｍ〜３４０ｍｍの略正方形である。
保護材の肉厚は、１ｍｍ〜１３ｍｍが好ましく、より好ましくは、３ｍｍ〜８ｍｍである。肉厚が厚過ぎると、箱板そのものが凹みなどの変形が生じやすく、反対に薄過ぎると、強度が不足してしまう。
リール状製品を収納する複数個の包装袋２のそれぞれの間に、梱包箱５の底面と略同一寸法の保護材４を挿入することにより、外部衝撃に対し梱包箱５の強度を補強することができる。
【００２５】
本発明による梱包体では、リール状製品を収納する包装袋２を横方向に寝かせた状態で複数個縦方向に積み重ねて梱包箱５に収納する際、リール状製品を収納する包装袋の少なくとも一部が縦方向に折り曲げられて突出部３を形成する。この突出部３を利用することにより、梱包箱５を開梱する際のリール状製品を収納する包装袋２と保護材４の取り出しが容易となり、リール状製品を傷つけることなく取り出すことができる。
また、リール状製品を収納する包装袋２の一部が縦方向に折り曲げられてなる突出部３は、梱包箱５の側面と保護材４の端面との間で挟まれ、固定されるため、移動が拘束され、輸送する際の振動や衝撃による巻きズレや巻き解れを防止することができる。
【００２６】
図５は、本発明による梱包体の一態様の概略的な斜視図である。
図５を参照して、本発明の梱包体において、梱包箱５の側面に沿って、保護材４’を挿入することもできる。保護材４’としては、上に保護材４について記載したものと同様のものを使用することができる。
【００２７】
以上、図面を参照し本発明の詳細について説明したが、いうまでもなく、包装袋や梱包箱の形状・寸法は、本発明の効果が得られるものであればよく、当業者をすれば、適宜、任意の形状・寸法を組み合わせることが可能である。また、梱包箱の側面に更に補強用の保護材を挿入することも、リール状製品と梱包箱の隙間を緩衝材で埋めることも可能である。
【実施例】
【００２８】
以下に実施例により本発明をより具体的に説明するが、本発明はこれらに限定されるものではない。
【００２９】
リール状製品として、フィルムの厚みが８０μｍ、フィルムの幅が１５ｍｍの長尺体を、内径７６．２ｍｍ、肉厚６ｍｍのコアリールに５００ｍ巻き取った二次電池リード用のシーラントフィルムを用意した。このリール状製品のリール径は２４２ｍｍであった。リール状製品を収納する真空包装袋として、ポリプロピレンとナイロンの積層フィルムからなる長辺が３３０ｍｍ、短辺が２８０ｍｍのものを準備した。
図６を参照して、真空包装袋の長辺の長さがａ、短辺の長さがｂ、開口部からヒートシール部まので距離がｃ、梱包箱に収納した時の折り返し位置がｄであるとき、リール状製品は、長さ（ａ−ｄ）の辺と長さｂの辺からなる収納部の略中央に位置するようにした。本実施例では長さ（ａ−ｄ）と長さｂは、略同一の長さ（２８０ｍｍ）であった。
【００３０】
このような真空包装袋にリール状製品を収納し、卓上真空包装機（(株)ＴＯＳEＩ製Ｖ−３８０Ｇ、真空度８７％、シール時間３秒））を用いて、リール状製品を収納した真空包装袋を真空吸引して密閉し、リール状製品を包装袋に収納した。
次に、底面が略正方形の段ボール紙からなる梱包箱を準備した。梱包箱の底面の辺の長さは、長さ（ａ−ｄ）あるいは長さｂと略同一の長さ（２８０ｍｍ）であった。
リール状製品を収納した包装袋を横方向に寝かせた状態で、梱包箱に収納した、このときリール状製品が梱包箱の底面の略中央に位置するようにし、真空包装用袋の少なくとも一部が、折り返し位置ｄで縦方向に折り曲げられるようにした。リール状製品を収納した包装袋の上に梱包箱の底面と略同一寸法（２８０ｍｍ）の略正方形の段ボール製の保護材（パッド）を載せ、真空包装用袋の少なくとも一部が縦方向に折り曲げられて突出部となるように、リール状製品を収納した包装袋のそれぞれの間に保護材（パッド）が挿入されるようにリール状製品包装体を縦方向に積み重ねた。最後に梱包箱を封止し、本発明の梱包体とした。
【００３１】
この実施例の梱包体について輸送する際の振動や衝撃による巻きズレや巻き解れ、変形を抑える効果、及び、開梱する際のリール状製品の取り出しの簡便性を向上させる効果について確認した。まず簡易的な確認として、実施例の梱包体を高さ１ｍから垂直方向に１０回落下させたのち、包装袋に収納されたリール状製品を確認したところ、巻きズレや巻き解れ、変形の発生したものは無かった。次に、実際に航空輸送、陸路輸送（約1,000ｋｍ）において輸送確認したところ、梱包箱には一部損傷を受けるものもあったが、包装袋に収納されたリール状製品には変形などの異常は確認されなかった。また梱包箱の損傷部分は保護材（パッド）に引っ掛かりそのままでは包装袋が梱包箱から取り出しにくい状態のものもあったが、突出部を引き上げることによりリール状製品を容易に取り出すことができた。
【符号の説明】
【００３２】
１  梱包体
２  包装袋
３  突出部
４，４’  保護材（パッド）
５  梱包箱
６  シール部
７  開口部
８  ヒートシール部
９  収納部
１０  リール状製品
【図１】
0006467702.tif 000002
【図２ａ】
0006467702.tif 000003
【図２ｂ】
0006467702.tif 000004
【図３ａ】
0006467702.tif 000005
【図３ｂ】
0006467702.tif 000006
【図４ａ】
0006467702.tif 000007
【図４ｂ】
0006467702.tif 000008
【図５】
0006467702.tif 000009
【図６】
0006467702.tif 000010